(57)【要約】【課題】複数のコンテンツデータを複数の表示装置で構成される表示システム上に表示する際に、各表示装置を有効に利用してそれぞれのコンテンツデータを見やすく表示することを目的とする。【解決手段】複数の表示装置の仕様情報を取得する仕様情報取得手段と、複数の表示装置の配置情報を取得する配置情報取得手段と、表示領域の組み合わせの選択に関する選択基準を設定する選択基準設定手段と、各コンテンツデータに関するデータ情報を取得するデータ情報取得手段と仕様情報と、配置情報と、データ情報と、選択基準と、に応じて、各コンテンツデータを表示する表示装置に係る表示領域の組み合わせを選択する組み合わせ選択手段と、選択された表示領域に各コンテンツデータを表示するコンテンツデータ表示手段と、を有することによって課題を解決する。【選択図】図２
2009139492.tif 000002
【特許請求の範囲】
【請求項１】
複数の表示装置で構成される表示システムの表示制御を行う表示制御装置であって、
前記複数の表示装置の仕様情報を取得する仕様情報取得手段と、
前記複数の表示装置の配置情報を取得する配置情報取得手段と、
表示領域の組み合わせの選択に関する選択基準を設定する選択基準設定手段と、
各コンテンツデータに関するデータ情報を取得するデータ情報取得手段と、
前記仕様情報と、前記配置情報と、前記データ情報と、前記選択基準と、に応じて、各コンテンツデータを表示する前記表示装置に係る表示領域の組み合わせを選択する組み合わせ選択手段と、
前記選択された表示領域に各コンテンツデータを表示するコンテンツデータ表示手段と、
を有することを特徴とする表示制御装置。
【請求項２】
前記選択基準設定手段が、各コンテンツデータのアスペクト比を保つ旨の選択基準を設定した場合、
前記データ情報取得手段は、各コンテンツデータのアスペクト比を算出し、各コンテンツデータのアスペクト比をデータ情報として取得して、
前記組み合わせ選択手段は、前記仕様情報と、前記配置情報と、前記データ情報と、前記選択基準と、に応じて、表示領域の組み合わせを選択することを特徴とする請求項１に記載の表示制御装置。
【請求項３】
コンテンツデータの変化を検出する検出手段を更に有し、
前記データ情報取得手段は、前記検出手段においてコンテンツデータの変化が検出された場合、各コンテンツデータのアスペクト比を算出し直すことを特徴とする請求項２に記載の表示制御装置。
【請求項４】
複数の表示装置で構成される表示システムの表示制御を行う表示制御装置におけるコンテンツデータの表示制御方法であって、
前記複数の表示装置の仕様情報を取得する仕様情報取得ステップと、
前記複数の表示装置の配置情報を取得する配置情報取得ステップと、
表示領域の組み合わせの選択に関する選択基準を設定する選択基準設定ステップと、
各コンテンツデータに関するデータ情報を取得するデータ情報取得ステップと、
前記仕様情報と、前記配置情報と、前記データ情報と、前記選択基準と、に応じて、各コンテンツデータを表示する前記表示装置に係る表示領域の組み合わせを選択する組み合わせ選択ステップと、
前記選択された表示領域に各コンテンツデータを表示するコンテンツデータ表示ステップと、
を有することを特徴とする表示制御方法。
【請求項５】
前記選択基準設定ステップにおいて、各コンテンツデータのアスペクト比を保つ旨の選択基準が設定された場合、
前記データ情報取得ステップでは、各コンテンツデータのアスペクト比を算出し、各コンテンツデータのアスペクト比をデータ情報として取得して、
前記組み合わせ選択ステップでは、前記仕様情報と、前記配置情報と、前記データ情報と、前記選択基準と、に応じて、表示領域の組み合わせを選択することを特徴とする請求項４に記載の表示制御方法。
【請求項６】
コンテンツデータの変化を検出する検出ステップを更に有し、
前記データ情報取得ステップでは、前記検出ステップにおいてコンテンツデータの変化が検出された場合、各コンテンツデータのアスペクト比を算出し直すことを特徴とする請求項５に記載の表示制御方法。
【請求項７】
複数の表示装置で構成される表示システムの表示制御を行うコンピュータを、
前記複数の表示装置の仕様情報を取得する仕様情報取得手段と、
前記複数の表示装置の配置情報を取得する配置情報取得手段と、
表示領域の組み合わせの選択に関する選択基準を設定する選択基準設定手段と、
各コンテンツデータに関するデータ情報を取得するデータ情報取得手段と、
前記仕様情報と、前記配置情報と、前記データ情報と、前記選択基準と、に応じて、各コンテンツデータを表示する前記表示装置に係る表示領域の組み合わせを選択する組み合わせ選択手段と、
前記選択された表示領域に各コンテンツデータを表示するコンテンツデータ表示手段と、
して機能させることを特徴とするプログラム。
【請求項８】
請求項７に記載のプログラムを記憶したコンピュータにより読み取り可能な記憶媒体。
【発明の詳細な説明】
【技術分野】
【０００１】
本発明は、表示制御装置及び表示制御方法に関する。
【背景技術】
【０００２】
近年、表示装置の大型化への要求が高まってきており、複数のディスプレイを組み合わせたマルチディスプレイシステムへのニーズも増えつつある。マルチディスプレイシステムでは、全てのディスプレイの数や配置を考慮して一つのコンテンツをそれぞれのディスプレイ毎に分割して表示している（特許文献１参照）。また複数のコンテンツを同時にマルチディスプレイ上の個々のディスプレイに表示させ、また重要な画像データを最も見易い位置のディスプレイに表示する画像表示装置も存在する（特許文献２）。
【０００３】
【特許文献１】特開２００５−３０１１３１号公報
【特許文献２】特開平１０−２４０２０９号公報
【発明の開示】
【発明が解決しようとする課題】
【０００４】
しかしながら、従来技術では、複数のコンテンツデータを複数の表示装置で構成される表示システム上に表示する際に、各表示装置を有効に利用してそれぞれのコンテンツデータを見やすく表示することはできない問題があった。
【０００５】
本発明はこのような問題点に鑑みなされたもので、複数のコンテンツデータを複数の表示装置で構成される表示システム上に表示する際に、各表示装置を有効に利用してそれぞれのコンテンツデータを見やすく表示することを目的とする。
【課題を解決するための手段】
【０００６】
そこで、本発明は、複数の表示装置で構成される表示システムの表示制御を行う表示制御装置であって、前記複数の表示装置の仕様情報を取得する仕様情報取得手段と、前記複数の表示装置の配置情報を取得する配置情報取得手段と、表示領域の組み合わせの選択に関する選択基準を設定する選択基準設定手段と、各コンテンツデータに関するデータ情報を取得するデータ情報取得手段と、前記仕様情報と、前記配置情報と、前記データ情報と、前記選択基準と、に応じて、各コンテンツデータを表示する前記表示装置に係る表示領域の組み合わせを選択する組み合わせ選択手段と、前記選択された表示領域に各コンテンツデータを表示するコンテンツデータ表示手段と、を有することを特徴とする。
【０００７】
また、本発明は、複数の表示装置で構成される表示システムの表示制御を行う表示制御装置におけるコンテンツデータの表示制御方法であって、前記複数の表示装置の仕様情報を取得する仕様情報取得ステップと、前記複数の表示装置の配置情報を取得する配置情報取得ステップと、表示領域の組み合わせの選択に関する選択基準を設定する選択基準設定ステップと、各コンテンツデータに関するデータ情報を取得するデータ情報取得ステップと、前記仕様情報と、前記配置情報と、前記データ情報と、前記選択基準と、に応じて、各コンテンツデータを表示する前記表示装置に係る表示領域の組み合わせを選択する組み合わせ選択ステップと、前記選択された表示領域に各コンテンツデータを表示するコンテンツデータ表示ステップと、を有することを特徴とする。
【０００８】
また、本発明は、プログラム及び記憶媒体としても良い。
【発明の効果】
【０００９】
本発明によれば、複数のコンテンツデータを複数の表示装置で構成される表示システム上に表示する際に、各表示装置を有効に利用してそれぞれのコンテンツデータを見やすく表示することができる。
【発明を実施するための最良の形態】
【００１０】
以下、本発明の実施形態について図面に基づいて説明する。
【００１１】
＜実施形態１＞
図１は、表示装置制御システム（コンピュータ）のハードウェア構成の一例を示す図である。
図１において、表示装置制御システムは、ＣＰＵ１１、ＲＯＭ１２、ＲＡＭ１３、タイマ１４、ＦｌａｓｈＲＯＭ１７、ネットワークＩ／Ｆ１８、ＨＤ１９から構成される。
【００１２】
ＣＰＵ（中央処理装置）１１は、表示装置制御システム全体を制御する。ＲＯＭ１２は、各種プログラム等を格納する。ＲＡＭ１３は、実行中のプログラムを記憶すると共に実行中のプログラムに用いられるデータ等を一時的に記憶する。
【００１３】
タイマ１４は、各種時間を計測する。ＦｌａｓｈＲＯＭ１７は、各種設定データファイル等を記憶する。ネットワークＩ／Ｆ１８は、表示装置制御システムを外部装置（例えばディスプレイシステム等）と接続する。ＨＤ１９は、各種プログラム及び設定データファイルを記憶する。
【００１４】
ＣＰＵ１１は、マイクロプロセッサで構成される。ＣＰＵ１１が、ＲＯＭ１２、又はＨＤ１９に記憶されているプログラムをＲＡＭ１３上に読み出して実行することによって、後述する機能、又はフローチャートに係る処理が実現される。
【００１５】
図２は、表示装置制御システムの機能構成の一例を示す図である。表示装置制御システム１００は、機能構成として、表示装置仕様情報取得部１０１、表示装置配置情報取得部１０２、映像データ変化検出部１０３、データ分析部１０４、表示領域決定部１０５、データ表示部１０６、を含む。また、表示装置制御システム１００は、機能構成として、組み合わせ基準設定部１０７、表示装置入出力部１０８、を含む。
【００１６】
表示装置仕様情報取得部１０１は、マルチディスプレイを構成する各表示装置１０９の仕様情報を取得する。表示装置配置情報取得部１０２は、各表示装置１０９の配置情報を取得する。映像データ変化検出部１０３は、配信された映像データ（コンテンツデータ）の数と、各映像データのアスペクト比と、に変化が無いかを監視し、変化があった場合は、その変化を検出する。
【００１７】
組み合わせ基準設定部１０７は、各映像データの表示領域の組み合わせを決定する基準（選択基準）を設定する（選択基準設定）。より具体的に説明すると、組み合わせ基準設定部１０７は、表示装置１０９に、予め定められている選択基準を表示する。そして、組み合わせ基準設定部１０７は、ユーザの選択操作（例えばリモートコントローラ等を用いた選択操作）に応じて、表示した選択基準の内、一の選択基準を選択して、設定する。なお、本実施形態では、選択基準として、予め
・「アスペクト比を保持したまま各映像データの大きさが近くなる組み合わせ（各コンテンツデータのアスペクト比を保つ）」
・「表示に使用しない領域が最小になる組み合わせ」
・「任意の一つの映像データが最大サイズになる組み合わせ」
・「ユーザが表示領域の組み合わせを選択する」
の４つが設定されているものとする。
【００１８】
データ分析部１０４は、配信された複数の映像データを分析し、映像データに関するデータ情報を取得する（データ情報取得）。例えば、データ分析部１０４は、配信された複数の映像データの数や各映像データのアスペクト比等を算出する。なお、データ分析部１０４は、組み合わせ基準設定部１０７で設定された選択基準に応じて、配信された複数の映像データを分析し、データ情報を取得するようにしても良い。
【００１９】
以下、本実施形態では、説明の簡略化のため、組み合わせ基準設定部１０７で「アスペクト比を保持したまま各映像データの大きさが近くなる組み合わせ」が選択基準として設定されたものとして説明を行う。
表示領域決定部１０５は、各表示装置１０９の仕様情報と、各表示装置１０９の配置情報と、に基づいて、表示装置全体（マルチディスプレイ）の表示領域の大きさと形とを認識する。そして、表示領域決定部１０５は、配信された映像データのデータ情報（映像データの数及び各映像データのアスペクト比）と、選択基準と、を用いて、マルチディスプレイに係る各映像データの表示領域の組み合わせ（表示装置の組み合わせ）を決定する。
【００２０】
データ表示部１０６は、表示領域決定部１０５が決定した表示領域に、配信された映像データを表示する（コンテンツデータ表示）。表示装置入出力部１０８は、表示装置１０９への映像出力や表示装置１０９からの表示装置仕様情報の取得等を行う。
なお、マルチディスプレイは、ノーマルサイズ（縦横比３：４）の同じ大きさの表示装置１０９を１１台有するものとする。但し、このことは本実施形態を制限するものではなく、異なる画面サイズ・大きさの表示装置を組み合わせても良い。
【００２１】
図３は、表示制御システムが起動したときの処理の一例を示すフローチャートである。
ステップＳ２００において、表示装置仕様情報取得部１０１は、表示装置入出力部１０８を介して、各表示装置１０９の仕様情報を取得する。
図４は、仕様情報の一例を示す図である。Ｉｎｄｅｘは、各表示装置１０９の識別ＩＤである。画面サイズは、画面のアスペクト比（ノーマル、ビスタ）である。大きさは、画面の大きさ（対角サイズ）である。また、表示装置仕様情報取得部１０１は、表示装置１０９の数を、例えば表示装置入出力部１０８に接続されており、信号の送受信が行われている表示装置１０９の台数に基づき、取得する。各表示装置１０９の仕様情報は、例えば各表示装置１０９のメモリ等に保持させておき、表示装置仕様情報取得部１０１が、表示装置入出力部１０８を介して、ある決められたプロトコルに沿って取得する。なお、各表示装置１０９のメモリ等に仕様情報を保持させておくのが困難な場合、表示装置仕様情報取得部１０１は、ユーザに仕様情報を入力させるようにしても良い。
【００２２】
次にステップＳ２０１において、表示装置配置情報取得部１０２は、各表示装置１０９の配置情報を取得する。り具体的に説明すると、表示装置配置情報取得部１０２は、例えばユーザに各表示装置１０９の配置情報を入力させ、入力された配置情報を取得する。
図５は、配置情報の一例を示す図である。Ｉｎｄｅｘは、図４の仕様情報と同じ、各表示装置１０９の識別ＩＤである。Ｘ軸座標は、複数の表示装置１０９で構成されるマルチディスプレイの左下を０とした場合の各表示装置１０９の左下のＸ座標である。Ｙ軸座標は、複数の表示装置１０９で構成されるマルチディスプレイの左下を０とした場合の各表示装置１０９の左下のＹ座標である。Ｘ軸サイズは、各表示装置１０９のＸ軸方向の大きさである。Ｙ軸サイズは、各表示装置１０９のＹ軸方向の大きさである。
【００２３】
なお、表示装置１０９の四隅にセンサを設置し、そのセンサで各表示装置１０９のＸ、Ｙ軸座標とＸ、Ｙ軸サイズを計測し、表示装置入出力部１０８を経由して表示装置配置情報取得部１０２が表示装置１０９から直接取得しても良い。
【００２４】
次にステップＳ２０２において、組み合わせ基準設定部１０７は、映像データの表示領域の組み合わせに係る選択基準を設定する。より具体的に説明すると、組み合わせ基準設定部１０７は、ユーザに選択基準を選択させ、ユーザによって選択された選択基準を設定する。上述したように本実施形態では、組み合わせ基準設定部１０７は、「アスペクト比を保持したまま各映像データの大きさが近くなる組み合わせ（各コンテンツデータのアスペクト比を保つ）」を設定したものとして説明を行う。
表示制御システムは、以上の動作を起動したときに行う。
【００２５】
図６は、映像データが配信されてきたときの処理の一例を示すフローチャートである。
はじめに、スタンダードサイズの映像データが１つ配信された場合を例に映像データの出力処理の説明を行う。
ステップＳ３０１において、映像データ変化検出部１０３は、配信された映像データに変化が無いか否かを判定する。映像データ変化検出部１０３は、配信された映像データに変化が無いと判定した場合、ステップＳ３０１の処理を繰り返し、配信された映像データに変化があると判定した場合、ステップＳ３０２に処理を進める。ここで、映像データ変化検出部１０３は、配信された映像データの変化（映像データの数や映像データのアスペクト比の変化）を検出した場合、配信された映像データに変化があると判定する。
【００２６】
ステップＳ３０２において、データ分析部１０４は、映像データを分析し、出力する映像データの数や、映像データのアスペクト比を算出する。つまり、データ分析部１０４は、出力する映像データが１つであり、スタンダードサイズであることを特定する。この映像データを、以降、映像データαとする。
【００２７】
ステップＳ３０３において、表示領域決定部１０５は、仕様情報と、配置情報と、選択基準と、映像データの数及びアスペクト比と、に基づいて、映像データαの表示領域の組み合わせを決定する。
ここで、仕様情報は、ステップＳ２００で取得された仕様情報である。また、配置情報は、ステップＳ２０１で取得された配置情報である。また、選択基準は、ステップＳ２０２で設定された選択基準である。また、映像データの数及びアスペクト比は、ステップＳ３０２で算出された映像データの数及びアスペクト比である。
【００２８】
組み合わせを決定する方法としては、例えば、表示領域決定部１０５が、予め表示領域の形ごとに映像データのサイズと数とにあわせた表示領域の組み合わせを保持しておく。そして、表示領域決定部１０５が、その保持している組み合わせの中から、仕様情報と、配置情報と、映像データのデータ情報（映像データの数及びアスペクト比）と、を基に、該当する組み合わせを抜き出す。そして、表示領域決定部１０５が、選択基準に基づいて、抜き出した組み合わせの中から一の組み合わせを決定するものとする。但し、表示領域決定部１０５は、仕様情報と、配置情報と、選択基準と、映像データの数及びアスペクト比と、を用いて、表示領域決定アルゴリズムを基に、組み合わせを決定するようにしても良い。
【００２９】
図７は、組み合わせの一例を示す図（その１）である。Ｉｎｄｅｘは、組み合わせを識別する識別ＩＤである。映像データは、出力する映像データを識別する識別ＩＤである。Ｘ、Ｙ軸座標は、映像データの左下の表示座標である。Ｘ、Ｙ軸サイズは、映像データの表示サイズである。組み合わせＩｎｄｅｘ１で映像データαを表示した場合の一例が、図８である。図８は、マルチディスプレイに映像データを表示した一例を示す図（その１）である。スタンダードサイズの映像データを１つ出力するため組み合わせは図７に示す組み合わせＩｎｄｅｘ１の組み合わせのみである。この中からステップＳ２０２において組み合わせ基準設定部１０７で決めた選択基準にのっとって、表示領域決定部１０５が、表示領域の組み合わせを決定する。前記選択基準は「アスペクト比を保持したまま各映像データの大きさが近くなる組み合わせ」であるが、図７に示す組み合わせはＩｎｄｅｘ１の組み合わせ１つのみであるため、表示領域決定部１０５は、これを選択、設定する。よって映像データαの表示領域は、図８のＮｏ．１となる。
【００３０】
再び図６の説明に戻りステップ３０４において、データ表示部１０６は、映像データαの表示場所を表示領域決定部１０５から取得し、図８のＮｏ．１の位置に映像データαを表示するように表示装置入出力部１０８を通してマルチディスプレイに表示命令を出す。表示装置入出力部１０８は、データ表示部１０６からの表示命令を受けて、マルチディスプレイを構成する、該当する表示装置１０９に映像データを出力する。
【００３１】
次に、ビスタサイズの映像データが１つ追加された場合の映像データの出力処理の説明を行う。
ステップＳ３０１において、映像データ変化検出部１０３は、映像データがスタンダードサイズの映像データ１つだったものがスタンダードサイズの映像データ１つと、ビスタサイズの映像データ１つと、の計２つに変化したことを検出する。そして、映像データ変化検出部１０３は、処理をステップＳ３０２に進める。
【００３２】
ステップＳ３０２において、データ分析部１０４は、映像データを分析し、出力する映像データの数や、映像データのアスペクト比を算出する。つまり、データ分析部１０４は、出力する映像データが２つであり、追加された映像データがビスタサイズの映像データであることを特定する。この追加された映像データを、以降、映像データβとする。つまり、出力する映像データは、映像データαと、映像データβと、の２つになる。
【００３３】
ステップＳ３０３において、表示領域決定部１０５は、仕様情報と、配置情報と、選択基準と、映像データの数及びアスペクト比と、に基づいて、映像データα及び映像データβの表示領域の組み合わせを決定する。
【００３４】
表示領域決定部１０５が、仕様情報と、配置情報と、映像データの数及びアスペクト比と、に基づいて、抜き題した、該当する組み合わせの一例を、図９に示す。図９は、組み合わせの一例を示す図（その２）である。また、図１０は、組み合わせＩｎｄｅｘ１〜Ｉｎｄｅｘ４で映像データα及び映像データβをマルチディスプレイに表示させた場合の一例を示す図である。
【００３５】
つまり、スタンダードサイズの映像データ１つと、ビスタサイズの映像データ１つと、を出力するため組み合わせは図９に示す４つである。
この中から表示領域決定部１０５は、ステップＳ２０２で組み合わせ基準設定部１０７が選択した選択基準にのっとって、一の組み合わせを決定する。ステップＳ２０２で組み合わせ基準設定部１０７が選択した選択基準は「アスペクト比を保持したまま各映像データの大きさが近くなる組み合わせ」である。よって、表示領域決定部１０５は、図９に示す組み合わせの中から選択基準に最もあてはまるＩｎｄｅｘ２を選択する。つまり、表示領域決定部１０５は、映像データαの表示領域を図１０のＩｎｄｅｘ２のＮｏ．１とし、映像データβの表示領域をＮｏ．２とする。
【００３６】
ステップ３０４において、データ表示部１０６は、映像データαと映像データβとの表示場所を表示領域決定部１０５から取得する。そして、データ表示部１０６は、図１０のＩｎｄｅｘ２のＮｏ．１、Ｎｏ．２の位置にそれぞれ映像データα、βを表示するように表示装置入出力部１０８を通してマルチディスプレイに表示命令を出す。表示装置入出力部１０８は、データ表示部１０６の命令を受けてマルチディスプレイの各表示装置１０９に映像データを出力する。
【００３７】
つまり、映像データαが表示装置１０９の９画面を使って表示されていたものが、４画面に縮小し、映像データβが表示装置１０９の６画面を使って表示されるように変更された。
【００３８】
次に、ビスタサイズの映像データβがスタンダードサイズの映像データに変化した場合の映像データの出力処理の説明を行う。
ステップＳ３０１において、映像データ変化検出部１０３は、映像データがスタンダードサイズの映像データ１つとビスタサイズの映像データ１つとの計２つだったものがスタンダードサイズの映像データ２つに変化したことを検出する。そして、映像データ変化検出部１０３は、処理をステップＳ３０２に進める。
【００３９】
ステップＳ３０２において、データ分析部１０４は、映像データを分析し、出力する映像データの数や、映像データのアスペクト比を算出する。つまり、データ分析部１０４は、出力する映像データが２つであり、ビスタサイズの映像データがスタンダードサイズの映像データに変更されたことを特定する。つまり、出力する映像データは、スタンダードサイズの映像データα及び映像データβの２つになる。
【００４０】
次にステップＳ３０３において、表示領域決定部１０５は、仕様情報と、配置情報と、選択基準と、映像データの数及びアスペクト比と、に基づいて、映像データα及び映像データβの表示領域の組み合わせを決定する。表示領域決定部１０５が、仕様情報と、配置情報と、映像データの数及びアスペクト比と、に基づいて、抜き題した、該当する組み合わせの一例を、図１１に示す。図１１は、組み合わせの一例を示す図（その３）である。また、図１２は、組み合わせＩｎｄｅｘ１、Ｉｎｄｅｘ２で映像データα及び映像データβをマルチディスプレイに表示させた場合の一例を示す図である。
【００４１】
つまり、スタンダードサイズの映像データ２つを出力するため組み合わせは図１１に示す２つである。
この中から表示領域決定部１０５は、ステップＳ２０２で組み合わせ基準設定部１０７が選択した選択基準にのっとって、一の組み合わせを決定する。ステップＳ２０２で組み合わせ基準設定部１０７が選択基準は「アスペクト比を保持したまま各映像データの大きさが近くなる組み合わせ」である。よって、表示領域決定部１０５は、図１１に示す組み合わせの中から選択基準に最もあてはまるＩｎｄｅｘ１を選択する。つまり、表示領域決定部１０５は、映像データαの表示領域を図１２のＩｎｄｅｘ１のＮｏ．１とし、映像データβの表示領域をＮｏ．２とする。
【００４２】
ステップ３０４において、データ表示部１０６は、映像データαと映像データβとの表示場所を表示領域決定部１０５から取得する。そして、データ表示部１０６は、図１２のＩｎｄｅｘ１のＮｏ．１、Ｎｏ．２の位置にそれぞれ映像データα、βを表示するように表示装置入出力部１０８を通してマルチディスプレイに表示命令を出す。表示装置入出力部１０８は、データ表示部１０６の命令を受けてマルチディスプレイの各表示装置１０９に映像データを出力する。
【００４３】
つまり、映像データβが表示装置１０９の６画面を使って表示されていたものが、スタンダードサイズになることで横が若干短くなり、４画面で表示されるように変更される。
よって、映像データが複数になっても効率的にマルチディスプレイシステム上に配置することができ、ユーザは見易い大きさで映像を閲覧することができる。
【００４４】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００４５】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００４６】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００４７】
本発明を前記記憶媒体に適用する場合、その記憶媒体には、先に説明したフローチャートに対応するプログラムコードが格納されることになる。
【００４８】
以上、上述した実施形態によれば、複数のコンテンツデータを複数の表示装置で構成される表示システム上に表示する際に、各表示装置を有効に利用してそれぞれのコンテンツデータを見やすく表示することができる。
【００４９】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００５０】
【図１】表示装置制御システム（コンピュータ）のハードウェア構成の一例を示す図である。
【図２】表示装置制御システムの機能構成の一例を示す図である。
【図３】表示制御システムが起動したときの処理の一例を示すフローチャートである。
【図４】仕様情報の一例を示す図である。
【図５】配置情報の一例を示す図である。
【図６】映像データが配信されてきたときの処理の一例を示すフローチャートである。
【図７】組み合わせの一例を示す図（その１）である。
【図８】マルチディスプレイに映像データを表示した一例を示す図（その１）である。
【図９】組み合わせの一例を示す図（その２）である。
【図１０】組み合わせＩｎｄｅｘ１〜Ｉｎｄｅｘ４で映像データα及び映像データβをマルチディスプレイに表示させた場合の一例を示す図である。
【図１１】組み合わせの一例を示す図（その３）である。
【図１２】組み合わせＩｎｄｅｘ１、Ｉｎｄｅｘ２で映像データα及び映像データβをマルチディスプレイに表示させた場合の一例を示す図である。
【符号の説明】
【００５１】
１１  ＣＰＵ
１２  ＲＯＭ
１３  ＲＡＭ
１４  タイマ
１７  ＦｌａｓｈＲＯＭ
１８  ネットワークＩ／Ｆ
１９  ハードディスク
【図１】
2009139492.tif 000003
【図２】
2009139492.tif 000004
【図３】
2009139492.tif 000005
【図４】
2009139492.tif 000006
【図５】
2009139492.tif 000007
【図６】
2009139492.tif 000008
【図７】
2009139492.tif 000009
【図８】
2009139492.tif 000010
【図９】
2009139492.tif 000011
【図１０】
2009139492.tif 000012
【図１１】
2009139492.tif 000013
【図１２】
2009139492.tif 000014